(57)【要約】【課題】  輝度増加膜構造及びその製造方法の提供。【解決手段】  反射膜、位相差板、及び偏光板を具え、反射膜は第１面と第２面を具え、この反射膜は一部の入射光を反射できる。位相差板は同様に第１面と第２面を具え、この位相差板は親水性を具え且つ入射光の位相差を変調可能で、この位相差板の第１面が反射膜の第２面と接合される。偏光板も第１面と第２面を具え、且つ偏光板は入射光の極性を変調可能で、この偏光板の第１面が位相差板の第２面と接合される。これにより、輝度増加膜構造が周知の構造中の１層を省略したものとされ、膜構造を薄型化並びに改善している。【選択図】        図２
2006053510.tif 000002
【特許請求の範囲】
【請求項１】
反射膜、位相差板、及び偏光板を具え、
該反射膜は第１面と第２面を具え、この反射膜は一部の入射光を反射でき、
該位相差板は第１面と第２面を具え、該位相差板は親水性を具え且つ入射光の位相差を変調可能で、該位相差板の第１面が反射膜の第２面と接合され、
該偏光板は第１面と第２面を具え、且つ該偏光板は入射光の極性を変調可能で、該偏光板の第１面が位相差板の第２面と接合されることを特徴とする、輝度増加膜構造。
【請求項２】
輝度増加膜構造の製造方法において、
偏光板を提供するステップと、
親水性の接着剤を使用し偏光板を位相差板の接合面に接合するステップと、
コレステリック液晶を位相差板の偏光板との接合面と反対の面に塗布するステップと、  を具えたことを特徴とする、輝度増加膜構造の製造方法。
【発明の詳細な説明】
【技術分野】
【０００１】
本発明は一種の輝度増加膜構造に係り、特に厚さを減らした輝度増加膜構造に関する。
【背景技術】
【０００２】
現在、携帯式モバイル装置、例えばノートブック型コンピュータ、ＰＤＡ、携帯電話などは、そのディスプレイに通常、液晶ディスプレイが使用され、液晶ディスプレイはその光源が非自己発光であり、バックライトモジュールを光源として使用している。このような非自己発光のディスプレイ品質の善し悪しは通常、ディスプレイの現出する輝度により決定される。
【０００３】
液晶ディスプレイを例に挙げると、その現出する輝度を向上するため、バックライトモジュールの発光の輝度を高めるほか、液晶ディスプレイに輝度増加膜を貼り付けることによっても、全体の液晶ディスプレイの現出する輝度を高めることができる。図１は周知の輝度増加膜構造の表示図である。図１中、液晶ディスプレイに使用されている液晶層１００のバックライトモジュール１１０に対向する面には多層膜が貼り付けられ、そのうち、最外層はバックライトモジュール１１０の発射する光を反射できる１層のコレステリック液晶（ＣＬＣ）１２０である。このコレステリック液晶（ＣＬＣ）１２０により、バックライトモジュール１１０の発射する光はバックライトモジュール１１０へと反射され、バックライトモジュール１１０の発射する光がこれにより循環利用されて液晶層１００に入射する光量を増す。これにより、一般にこのコレステリック液晶（ＣＬＣ）１２０を輝度増加膜と称する。
【０００４】
液晶層１００とコレステリック液晶（ＣＬＣ）１２０の間の位相差板（λ／４  ｐｌａｔｅ）１３０、偏光板（ＰＶＡ）１４０はバックライトモジュール１１０の発射する光に対してそれぞれ位相変調と極性変調を行い、液晶層１００の表示画面を更に飽和、更に改善する。液晶層１００と偏光板１４０の間のトリアセチルセルロース（ＴＡＣ）１５０は、偏光板１４０の支持材として使用される。偏光板１４０と位相差板１３０の間のトリアセチルセルロース（ＴＡＣ）１３５は位相差板１５０をこのトリアセチルセルロース（ＴＡＣ）１３５に接合し間接的に偏光板１４０に接合するのに用いられる。その理由は、位相差板１３０がその材質属性を受けるために偏光板１４０に直接接合できないことにあり、ゆえに、位相差板１３０はトリアセチルセルロース（ＴＡＣ）１３５により間接的に偏光板１４０に接合される必要がある。
【０００５】
現在の携帯式モバイル装置の外観はいずれも軽量化、薄型化、コンパクト化に向けて設計され、これにより、携帯式モバイル装置に使用されるディスプレイにも、厚さを薄くすることが要求される。ゆえに、いかに輝度増加膜及びそれに付属する多機能膜を利用してディスプレイの輝度を高め、画面を飽和させ、改善しつつ、輝度増加膜及びその付属の多機能膜の厚さを減らしてディスプレイの設計上の要求に符合させるかは、検討に値する。
【発明の開示】
【発明が解決しようとする課題】
【０００６】
以上を鑑み、本発明は一種の輝度増加膜構造及びその製造方法を提供し、それは輝度増加膜構造のディスプレイに占める厚さを減らし、ディスプレイの設計上の要求に符合するようにする構造及びその製造方法である。
【０００７】
本発明の主要な目的は、輝度増加膜構造の厚さを減らして輝度増加膜を使用するディスプレイの全体厚さを減らすことにある。この目的を達成するため、本発明は一種の輝度増加膜構造を提供し、それは、反射膜、位相差板、偏光板を具え、反射膜は第１面と第２面を具え、この反射膜は一部の入射光を反射できる。位相差板は同様に第１面と第２面を具え、この位相差板は親水性を具え且つ入射光の位相差を変調可能で、この位相差板の第１面が反射膜の第２面と接合される。偏光板も第１面と第２面を具え、且つ偏光板は入射光の極性を変調可能で、この偏光板の第１面が位相差板の第２面と接合される。
【０００８】
本発明の実施例中、反射膜は１層のコレステリック液晶とされ、位相差板はλ／４板とされる。且つこの輝度増加膜構造は更に透明プラスチック板を偏光板の支持用として具えている。
【０００９】
このほか、上述の目的を達成するため、位相差板は必ずしも親水性を有するものではなく、親水性の接着剤を使用して位相差板と偏光板を接着することも可能である。
【００１０】
この親水性の接着剤を使用して製造した輝度増加膜構造は、その製造方法が、偏光板を提供し、親水性の接着剤で偏光板と位相差板の接合面に接合し、１層のコレステリック液晶を位相差板の偏光板との接合面と反対の面に塗布するステップを具えている。
【課題を解決するための手段】
【００１１】
請求項１の発明は、反射膜、位相差板、及び偏光板を具え、
該反射膜は第１面と第２面を具え、この反射膜は一部の入射光を反射でき、
該位相差板は第１面と第２面を具え、該位相差板は親水性を具え且つ入射光の位相差を変調可能で、該位相差板の第１面が反射膜の第２面と接合され、
該偏光板は第１面と第２面を具え、且つ該偏光板は入射光の極性を変調可能で、該偏光板の第１面が位相差板の第２面と接合されることを特徴とする、輝度増加膜構造としている。
請求項２の発明は、輝度増加膜構造の製造方法において、
偏光板を提供するステップと、
親水性の接着剤を使用し偏光板を位相差板の接合面に接合するステップと、
コレステリック液晶を位相差板の偏光板との接合面と反対の面に塗布するステップと、  を具えたことを特徴とする、輝度増加膜構造の製造方法としている。
【発明の効果】
【００１２】
本発明の輝度増加膜構造は周知の構造中の１層を省略したものとされ、膜構造を薄型化並びに改善している。
【発明を実施するための最良の形態】
【００１３】
図２は本発明の好ましい実施例の輝度増加膜構造の表示図である。図２中、この輝度増加膜構造２００は、反射膜とされるコレステリック液晶（ＣＬＣ）２１０、位相差板とされる親水性のλ／４板２２０、偏光板２３０及び偏光板２３０支持材のトリアセチルセルロース（ＴＡＣ）２４０を具えている。
【００１４】
そのうち、透明プラスチック板（ＴＡＣ）による偏光板２３０との間接接合でなくλ／４板２２０を直接偏光板２３０に接合できるようにするため、本発明では偏光板２３０自身の化学特性、則ち親水性を利用し、親水性のλ／４板２２０を使用し、λ／４板２２０を偏光板２３０と順調に接合できるようにする。これにより輝度増加膜構造２００中のλ／４板２２０が透明プラスチック板（ＴＡＣ）により間接的に偏光板２３０に接合されるのではなく、λ／４板２２０が直接偏光板２３０に接合され、これにより、輝度増加膜構造２００は１層の透明プラスチック板（ＴＡＣ）の厚さを減らすことができる。
【００１５】
現在の透明プラスチック板の厚さは、通常８０μｍに達し、これにより輝度増加膜構造が位相差板で直接偏光板に接合される時、輝度増加膜構造の全体厚さは８０μｍ減らされる。
【００１６】
且つ輝度増加膜構造は少なくとも１層の透明プラスチック板が少なくなると、輝度増加膜構造の透光率が増し、これにより輝度増加膜構造の輝度増加の効果は更に良好となる。
【００１７】
ゆえに、本発明の輝度増加膜構造を接合したディスプレイは実際に使用される厚さが減らされるほか、そのディスプレイ画面の輝度も高くなる。
【００１８】
本発明の概念に基づき、親水性の位相差板を使用して位相差板を直接偏光板に接合するほか、親水性の接着剤を使用して位相差板と偏光板を接合させることも可能である。
【００１９】
図３は本発明の好ましい実施例の構造の製造方法のフローチャートである。まず、偏光板を提供する。これはステップ３０１である。続いて親水性接着剤を位相差板に塗布し、位相差板を直接偏光板と接合する。これはステップ３０２である。最後にコレステリック液晶（ＣＬＣ）を位相差板の偏光板と反対の面に塗布する。これはステップ３０３である。
【００２０】
本発明の長所は以下のとおりである。
ａ．輝度増加膜構造中の位相差板が直接偏光板と接合される時、周知の位相差板の１層のトリアセチルセルロース（ＴＡＣ）により間接的に偏光板と接合される必要を防止でき、本発明の輝度増加膜構造は周知の輝度増加膜構造より薄くなり、ディスプレイの設計上の必要に符合する。
ｂ．輝度増加膜構造は少なくとも１層のトリアセチルセルロース（ＴＡＣ）が減らされ、自身の厚さが薄くなっているほか、輝度増加膜構造の透光率も周知の構造に較べて向上される。
【００２１】
以上は本発明の好ましい実施例の説明であって、本発明の範囲を限定するものではなく、本発明に基づきなしうる細部の修飾或いは改変は、いずれも本発明の請求範囲に属するものとする。
【図面の簡単な説明】
【００２２】
【図１】周知の輝度増加膜構造の表示図である。
【図２】本発明の実施例の輝度増加膜構造の表示図である。
【図３】本発明の実施例の輝度増加膜構造の製造方法のフローチャートである。
【符号の説明】
【００２３】
１００  液晶層
１１０  バックライトモジュール
１２０、２１０  コレステリック液晶
１３０  位相差板
１４０、２３０  偏光板
１５０、２４０  トリアセチルセルロース
２００  輝度増加膜構造
２２０  λ／４板
３０１〜３０３  ステップ
【図１】
2006053510.tif 000003
【図２】
2006053510.tif 000004
【図３】
2006053510.tif 000005